(57)【特許請求の範囲】
【請求項１】
流体が流れる管路部と、該管路部を流れる流体を迂回するための分岐管を取付け可能な分岐部と、を備え、不断流状態で弁装置を取付けるための管ユニットであって、
前記管路部は、該管路部を仕切る仕切弁を挿入可能な挿入部を有する基部フランジと、前記管路部を仕切る仕切弁を取付け可能な仕切弁取付部を有し、該挿入部を開閉する開閉弁を挿入可能に移動できるように前記基部フランジに接続される連結フランジと、
該連結フランジの前記仕切弁取付部に着脱可能に取付けられる蓋部材と、を備え、
前記分岐部は、該分岐部を仕切る仕切弁を挿入可能な挿入部を有する基部フランジと、前記分岐部を仕切る仕切弁を取付け可能な仕切弁取付部を有し、該挿入部を開閉する開閉弁を挿入可能に移動できるように前記基部フランジに接続される連結フランジと、
該連結フランジの前記仕切弁取付部に着脱可能に取付けられる蓋部材と、
を備えることを特徴とする管ユニット。
【請求項２】
請求項１に記載の管ユニットに対する仕切弁の設置方法であって、
前記管路部において、前記基部フランジと前記連結フランジとの連結部を密封し、前記連結フランジを移動させて前記連結部に前記開閉弁を挿入可能な間隙部を形成し、該間隙部に開閉弁を挿入するとともに、前記仕切弁取付部に取り付けられた前記蓋部材を取り外して、該仕切弁取付部に前記仕切弁を取り付けるとともに、
前記分岐部において、前記基部フランジと前記連結フランジとの連結部を密封し、前記連結フランジを移動させて前記連結部に前記開閉弁を挿入可能な間隙部を形成し、該間隙部に開閉弁を挿入するとともに、前記仕切弁取付部に取り付けられた前記蓋部材を取り外して、該仕切弁取付部に前記仕切弁を取り付けることを特徴とする管ユニットに対する仕切弁の設置方法。
【発明の詳細な説明】
【技術分野】
【０００１】
本発明は、流体が流れる管路部と、前記管路部に該管路部を仕切る仕切弁を着脱可能に取り付けるための仕切弁手段と、を備える不断流状態での施工に適した管ユニット及び管ユニットに対する仕切弁の設置方法に関する。
【背景技術】
【０００２】
従来、地中に埋設された水道本管中の流水を止めることなく、不断水の状態で水路の変更をしようとする場合に使用される水路変更用分岐管継手がある。このような分岐管継手では、水道本管の水路を変更しようとする箇所に、２つ割りに構成された止水弁（仕切弁）を嵌挿するための弁筐を有する止水管と、２つ割りに構成された分岐管路継手を有する分岐継手管と、を設置するようにしている。（例えば、特許文献１参照）。尚、近年では、水道本管を設置する際に、止水管と分岐継手管とが一体的に形成された管ユニットも製造されている。
【０００３】
また、本管部から上方に分岐するようにして突出する分岐管部を設け、この分岐管部を開閉する開閉弁と、分岐管部の上端に接合される弁蓋内に収容される仕切弁体（仕切弁）と、を備える仕切弁装置がある。このような装置では、作業完了後に仕切弁体を撤去して所定の保管場所に保管することで、仕切弁体の経時的劣化を防止するようにしている（例えば、特許文献２参照）。
【先行技術文献】
【特許文献】
【０００４】
【特許文献１】実公昭６０−３４３０号公報（第１頁、第１図）
【特許文献２】特開２００１−２７３４９号公報（第２頁、第２図）
【発明の概要】
【発明が解決しようとする課題】
【０００５】
しかしながら、特許文献１に記載の水路変更用分岐管継手にあっては、作業完了後も止水管の止水弁（仕切弁）や分岐継手管に接続される分岐用制水弁（仕切弁）が、そのまま留置されるようになっており、長期間留置されると止水弁や分岐用制水弁に腐食が生じてしまい、再び使用する場合に作動しなくなるという問題がある。
【０００６】
また、特許文献２に記載の仕切弁装置にあっても、作業完了後に仕切弁体（仕切弁）を撤去することはできるが、分岐管部を開閉する開閉弁が、そのまま留置されるようになっており、長期間留置されると開閉弁に腐食が生じてしまい、再び使用する場合に作動しなくなるという問題がある。
【０００７】
本発明は、このような問題点に着目してなされたもので、不断流工事を行う際には、不断流の状態で仕切弁及び開閉弁を取り付けることができ、長期間留置する際には、仕切弁及び開閉弁を取り外しておくことができる管ユニット及び管ユニットに対する仕切弁の設置方法を提供することを目的とする。
【課題を解決するための手段】
【０００８】
前記課題を解決するために、本発明の管ユニットは、
流体が流れる管路部と、該管路部を流れる流体を迂回するための分岐管を取付け可能な分岐部と、を備え、不断流状態で弁装置を取付けるための管ユニットであって、
前記管路部は、該管路部を仕切る仕切弁を挿入可能な挿入部を有する基部フランジと、前記管路部を仕切る仕切弁を取付け可能な仕切弁取付部を有し、該挿入部を開閉する開閉弁を挿入可能に移動できるように前記基部フランジに接続される連結フランジと、
該連結フランジの前記仕切弁取付部に着脱可能に取付けられる蓋部材と、を備え、
前記分岐部は、該分岐部を仕切る仕切弁を挿入可能な挿入部を有する基部フランジと、前記分岐部を仕切る仕切弁を取付け可能な仕切弁取付部を有し、該挿入部を開閉する開閉弁を挿入可能に移動できるように前記基部フランジに接続される連結フランジと、
該連結フランジの前記仕切弁取付部に着脱可能に取付けられる蓋部材と、
を備えることを特徴としている。
この特徴によれば、管ユニットの管路部、分岐部のそれぞれは、開閉弁を基部フランジと連結フランジとの連結部に挿入して挿入部を閉塞して、仕切弁取付部に取り付けられた蓋部材を取り外すとともに、仕切弁を該仕切弁取付部に取り付けることによって、管路部及び分岐部のそれぞれに対し、不断流の状態で仕切弁を取り付けることができるので、不断流の状態で管路部を流れる流体を迂回するための分岐管を取付けることができる。また、長期間留置する際には、仕切弁及び開閉弁の双方の弁体を仕切弁手段によって取り外しておくことができる。
【００１３】
本発明の管ユニットに対する仕切弁の設置方法は、
前記管路部において、前記基部フランジと前記連結フランジとの連結部を密封し、前記連結フランジを移動させて前記連結部に前記開閉弁を挿入可能な間隙部を形成し、該間隙部に開閉弁を挿入するとともに、前記仕切弁取付部に取り付けられた前記蓋部材を取り外して、該仕切弁取付部に前記仕切弁を取り付けるとともに、
前記分岐部において、前記基部フランジと前記連結フランジとの連結部を密封し、前記連結フランジを移動させて前記連結部に前記開閉弁を挿入可能な間隙部を形成し、該間隙部に開閉弁を挿入するとともに、前記仕切弁取付部に取り付けられた前記蓋部材を取り外して、該仕切弁取付部に前記仕切弁を取り付けることを特徴としている。
この特徴によれば、管ユニットの管路部、分岐部のそれぞれは、開閉弁を基部フランジと連結フランジとの連結部に挿入して挿入部を閉塞して、仕切弁取付部に取り付けられた蓋部材を取り外すとともに、仕切弁を仕切弁取付部に取り付けることによって、管路部及び分岐部のそれぞれに対し、不断流の状態で仕切弁を取り付けることができるので、不断流の状態で管路部を流れる流体を迂回するための分岐管を取付けることができる。また、長期間留置する際には、仕切弁及び開閉弁の双方の弁体を仕切弁手段によって取り外しておくことができる。
【図面の簡単な説明】
【００１４】
【図１】実施例１における敷設状態の管ユニットを示す側断面図である。
【図２】密封部材が取り付けられた状態の管ユニットを示す側断面図である。
【図３】密封部材が取り付けられた状態の管ユニットを示す平面図である。
【図４】仕切弁箱部が取り付けられた状態の管ユニットを示す側断面図である。
【図５】仕切弁を挿入した状態の管ユニットを示す側断面図である。
【図６】図４における仕切弁取付装置を示す拡大側断面図である。
【図７】実施例２における連結部を示す側断面図である。
【図８】実施例３における連結部を示す側断面図である。
【発明を実施するための形態】
【００１５】
本発明に係る管ユニット及び管ユニットに対する仕切弁の設置方法を実施するための形態を実施例に基づいて以下に説明する。
【実施例１】
【００１６】
実施例１に係る管ユニット及び管ユニットに対する仕切弁の設置方法につき、図１から図６を参照して説明する。本実施例の管ユニット１は、例えば、地中に埋設される上水道用のダクタイル鋳鉄製であり、管路部は断面視略円形状に形成され、内周面がモルタル層で被覆されている。尚、本発明に係る管ユニット１は、その他鋳鉄、鋼等の金属製、あるいは石綿、コンクリート製、塩化ビニール、ポリエチレン若しくはポリオレフィン製等であってもよい。更に尚、管ユニット１の内周面はモルタル層に限らず、例えばエポキシ樹脂等により被覆されてもよく、若しくは適宜の材料を粉体塗装により管ユニット１の内周面に被覆してもよい。また、本実施例では管ユニット１内の流体は、本実施例の上水に限らず、例えば工業用水や農業用水、下水等の他、ガスやガスと液体との気液混合体であっても構わない。尚、図１から図６において紙面右側を管ユニット１の上流側として説明する。
【００１７】
図１に示すように、本実施例の管ユニット１は、上流側及び下流側の端部のいずれもが挿口部２，３となっている。そして、それぞれの挿口部２，３が地中に略水平方向に埋設される流体管路を構成する流体管４，５の受口部６，７に接続される。尚、管ユニット１の両端部の挿口部２，３が本発明における接続部となっている。また、本実施例における管ユニット１は、流体が流れる管路部８を有し、管路部８の周面には、水平方向に分岐された分岐部９が設けられている。更に、管ユニット１が敷設された状態では、分岐部９の開口が蓋部材１０により閉塞されている。
【００１８】
尚、後述するように、本実施例の管ユニット１は、分岐部９に迂回用の分岐管（図示略）を取り付けて流体の迂回経路を確保することで、迂回経路にて流体を流し続けるとともに、管ユニット１の下流側の流体管４にて工事を行えるようになっており、不断流状態での施工に適した管ユニット１となっている。
【００１９】
また、管路部８における分岐部９よりも若干下流側の部位には、本発明における仕切弁手段としての仕切弁取付装置１２が設けられている。尚、この仕切弁取付装置１２は、管路部８の上部側に設けられ、管路部８を仕切るための後述する仕切弁１３を収容した仕切弁箱部１４が着脱されるようになっている。更に、分岐部９の部位にも、仕切弁取付装置１２’が設けられている。尚、この仕切弁取付装置１２’は、分岐部９の上部側に設けられ、分岐部９を仕切るための後述する仕切弁１３を収容した仕切弁箱部１４が着脱されるようになっている。また、これら２つの仕切弁取付装置１２，１２’は、同様の構成となっているため、管路部８を仕切るため仕切弁取付装置１２を例にして以下に説明する。
【００２０】
図１に示すように、仕切弁取付装置１２は、管路部８の上面に一体的に形成された基部フランジ１５を有している。この基部フランジ１５には、後述する仕切弁１３を挿入可能な挿入部１６が形成されている。また、基部フランジ１５の上面には、基部フランジ１５の挿入部１６と連続する挿入部１７を有する連結フランジ１８がボルト等の螺合部材１９により連結されている。尚、挿入部１７は、連結フランジ１８の上面に設けられた仕切弁取付部２０に開口されている。これらの挿入部１６，１７は、管路部８の内部から仕切弁取付部２０まで垂直に延設されている。
【００２１】
また、基部フランジ１５及び連結フランジ１８の連結部２１には、螺合部材１９が取り付けられる鍔部２２，２３が形成されている。この鍔部２２，２３は、挿入部１６，１７に直交する面を有しており、後述するように、基部フランジ１５及び連結フランジ１８の鍔部２２，２３同士の間に、挿入部１６，１７を開閉する開閉弁２４を挿入可能な間隙部２５が形成できるようになっている（図２参照）。更に、挿入部１６，１７は、板状をなす弁体である仕切弁１３を挿入可能なように横長のスリット状の孔部として形成されている。また、後述する開閉弁２４も板状をなす弁体として形成されている（図４参照）。
【００２２】
尚、連結フランジ１８における基部フランジ１５との連結部２１には、この連結部２１の密封状態を維持するためのシール部材２６が設けられている（図６参照）。また、管ユニット１が長期間設置される敷設状態では、挿入部１７を閉塞するための蓋部材２７が連結フランジ１８の上面の仕切弁取付部２０にボルト等の螺合部材２８を用いて取り付けられる。また、蓋部材２７には、この蓋部材２７と仕切弁取付部２０との間を密封するシール部材２９が設けられる。
【００２３】
図２及び図３に示すように、不断流状態で工事を行う場合に、基部フランジ１５及び連結フランジ１８の連結部２１には、開閉弁２４を収容した開閉弁箱部３０を有して連結部２１を密封状に覆う密封部材３１が取り付けられる。この密封部材３１を連結部２１に取り付ける工程が本発明における密封工程を構成している。
【００２４】
また、この密封部材３１は、基部フランジ１５及び連結フランジ１８の鍔部２２，２３の形状に対応して、平面視で略四角形状をなす２つに分割可能な枠部材３２，３３を有している。そして、この枠部材３２，３３が分割された状態で基部フランジ１５及び連結フランジ１８の鍔部２２，２３を覆い、大型ボルト等の螺合部材３４により互いの枠部材３２，３３が連結されるようになっている。また、２つに分割された枠部材３２，３３のうち、一方の枠部材３２に開閉弁２４を収容した開閉弁箱部３０が一体的に設けられている。
【００２５】
尚、密封部材３１の内面には、この密封部材３１と基部フランジ１５及び連結フランジ１８の鍔部２２，２３との間を密封するためのシール部材３５，３６が設けられている（図６参照）。更に、この密封部材３１のシール部材３５，３６は、密封性を維持しつつ、連結フランジ１８の鍔部２３の上下方向の移動を許容できるようになっている。また、密封部材３１の内面には、基部フランジ１５の鍔部２２に係合される係合片３７が突設されており、密封部材３１が基部フランジ１５に対して相対移動不能に固定されるようになっている。
【００２６】
更に、密封部材３１を取り付けた後に、基部フランジ１５と連結フランジ１８とを連結している螺合部材１９を１本づつ取り外し、この螺合部材１９が螺合されていた鍔部２２，２３の孔部３８，３９に栓部材４０，４１を螺合するとともに、基部フランジ１５及び連結フランジ１８の鍔部２２，２３に螺合された栓部材４０，４１同士を万力等の挟持治具４２により上下方向から挟み込むようにする。尚、鍔部２２，２３の孔部３８，３９の全てに挟持治具４２を取り付ける必要はなく、一部の孔部３８，３９については、栓部材４０，４１を螺合させた状態のままでよい。例えば、本実施例では、鍔部２２，２３の６箇所の孔部３８，３９のうち、四隅の孔部３８，３９に挟持治具４２を取り付けるようにしている（図３参照）。更に、栓部材４０，４１には、孔部３８，３９の密閉性を維持するためのシール部材が設けられている。
【００２７】
尚、本実施例における栓部材４０，４１が、基部フランジ１５と連結フランジ１８との間の離間距離を規定する規定部材を構成している。更に、本実施例における挟持治具４２が、基部フランジ１５側の栓部材４０と連結フランジ１８側の栓部材４１とを一体的に連結しつつ、両栓部材４０，４１の相対位置を調整できる調整手段を構成している。
【００２８】
次に、挟持治具４２を操作して、連結フランジ１８側の栓部材４１を上方に移動させるとともに、連結フランジ１８を上方に移動させるようにし、基部フランジ１５及び連結フランジ１８の連結部２１に開閉弁２４を挿入可能な間隙部２５を形成する。この基部フランジ１５及び連結フランジ１８の連結部２１に間隙部２５を形成する工程が本発明における間隙形成工程を構成している。
【００２９】
次に、開閉弁２４を間隙部２５に挿入して挿入部１６，１７を開閉弁２４により閉塞する。この開閉弁２４を間隙部２５に挿入して挿入部１６，１７を開閉弁２４により閉塞する工程が本発明における開閉弁閉塞工程を構成している。尚、この状態では、開閉弁２４によって閉塞されることにより、連結フランジ１８の挿入部１７に流体の流入が阻止されるようになっている。また、この状態では、基部フランジ１５の挿入部１６まで管路部８の流体が流入される。尚、開閉弁２４を間隙部２５に挿入した後に、挟持治具４２を若干締め付けて、基部フランジ１５及び連結フランジ１８の鍔部２２，２３同士により開閉弁２４を挟み込むようにしてもよい。
【００３０】
図４に示すように、連結フランジ１８の仕切弁取付部２０から蓋部材２７を取り外す。更に、連結フランジ１８の仕切弁取付部２０に、仕切弁１３を収容した仕切弁箱部１４をボルト等の螺合部材４３を用いて取り付ける。この連結フランジ１８の仕切弁取付部２０に、仕切弁１３を収容した仕切弁箱部１４を取り付ける工程が本発明における仕切弁取付工程を構成している。尚、仕切弁取付部２０と仕切弁箱部１４との間は、仕切弁箱部１４に設けられたシール部材４４により密封されている（図６参照）。
【００３１】
そして、開閉弁２４を開閉弁箱部３０に収容して挿入部１６，１７を開放するとともに、挟持治具４２を操作して、連結フランジ１８側の栓部材４１を下方に移動させるとともに、連結フランジ１８を下方に移動させるようにし、基部フランジ１５及び連結フランジ１８の連結部２１に形成された間隙部２５を閉じて連結部２１を密封する。更に、基部フランジ１５及び連結フランジ１８の鍔部２２，２３に螺合された栓部材４０，４１及び挟持治具４２を１つずつ取り外し、基部フランジ１５と連結フランジ１８とを螺合部材１９により連結してゆく。
【００３２】
尚、分岐部９の仕切弁取付装置１２’に対しても、前述した管路部８の仕切弁取付装置１２と同様の工程で密封部材３１及び仕切弁箱部１４を取り付けるようにする。そして、不断流状態で流体管５を流れる流体の迂回経路を確保する際には、分岐部９に取り付けた仕切弁箱部１４の仕切弁１３を下ろして分岐部９を閉塞した状態にし、分岐部９の開口を閉塞している蓋部材１０を取り外し、この分岐部９に迂回用の分岐管（図示略）を取り付けるようにする。
【００３３】
そして、図５に示すように、分岐部９の仕切弁１３を引き上げて分岐部９を開放し、迂回用の分岐管（図示略）に流体を流すとともに、管路部８に取り付けた仕切弁箱部１４の仕切弁１３を下ろして管路部８を閉塞した状態にする。すると、不断流状態で管ユニット１の下流側の流体管４にて工事を行えるようになる。
【００３４】
また、不断流状態での工事が終了して管ユニット１が長期間設置される敷設状態に戻す際には、先ず管路部８の仕切弁１３を引き上げて仕切弁箱部１４に収容して管路部８を開放し、下流側の流体管４に流体が流れるようにした状態にする。次に、分岐部９の仕切弁１３を下ろして分岐部９を閉塞した状態にし、迂回用の分岐管（図示略）を取り外す。そして、分岐部９の開口を蓋部材１０により閉塞し、分岐部９の仕切弁１３を引き上げて仕切弁箱部１４に収容する（図４参照）。
【００３５】
また、基部フランジ１５と連結フランジ１８とを連結している螺合部材１９を１本づつ取り外し、この螺合部材１９が螺合されていた鍔部２２，２３の孔部３８，３９に栓部材４０，４１を螺合するとともに、基部フランジ１５及び連結フランジ１８の鍔部２２，２３に螺合された栓部材４０，４１同士を万力等の挟持治具４２により上下方向から挟み込むようにする。
【００３６】
次に、挟持治具４２を操作して、連結フランジ１８側の栓部材４１を上方に移動させるとともに、連結フランジ１８を上方に移動させるようにし、基部フランジ１５及び連結フランジ１８の連結部２１に開閉弁２４を挿入可能な間隙部２５を形成する。
【００３７】
次に、開閉弁２４を間隙部２５に挿入して挿入部１６，１７を開閉弁２４により閉塞するとともに、仕切弁箱部１４を連結フランジ１８の仕切弁取付部２０から取り外す。そして、連結フランジ１８の仕切弁取付部２０に蓋部材２７を取り付ける（図２及び図３参照）。また、開閉弁２４を開閉弁箱部３０に収容して挿入部１６，１７を開放する。更に、挟持治具４２を操作して、連結フランジ１８側の栓部材４１を下方に移動させるとともに、連結フランジ１８を下方に移動させるようにし、基部フランジ１５及び連結フランジ１８の連結部２１に形成された間隙部２５を閉じて連結部２１を密封する。
【００３８】
次に、基部フランジ１５及び連結フランジ１８の鍔部２２，２３に螺合された栓部材４０，４１及び挟持治具４２を１つずつ取り外し、基部フランジ１５と連結フランジ１８とを螺合部材１９により連結してゆく。そして、基部フランジ１５及び連結フランジ１８の連結部２１から密封部材３１を取り外す（図１参照）。尚、分岐部９の仕切弁取付装置１２’の仕切弁箱部１４及び密封部材３１も同様の工程により取り外すようにする。
【００３９】
以上のように、本実施例における管ユニット１では、不断流工事を行う際には、開閉弁２４を収容した開閉弁箱部３０を有する密封部材３１を基部フランジ１５と連結フランジ１８との連結部２１に取り付けた状態にして、この連結部２１に開閉弁２４を挿入可能な間隙部２５を形成し、この間隙部２５に開閉弁２４を挿入して挿入部１６，１７を閉塞し、仕切弁取付部２０に取り付けられた蓋部材２７を取り外すとともに、仕切弁１３を収容した仕切弁箱部１４を仕切弁取付部２０に取り付けることで、不断流の状態で仕切弁１３を取り付けることができる。また、長期間留置する際には、仕切弁１３及び開閉弁２４の双方の弁体を仕切弁取付装置１２によって取り外しておくことができる。
【００４０】
また、基部フランジ１５及び連結フランジ１８が有する各挿入部１６，１７が連続して配置され、これらの挿入部１６，１７が仕切弁取付部２０に取り付けられた蓋部材２７により閉塞された状態で敷設されることで、基部フランジ１５及び連結フランジ１８という構造が簡素な２つのフランジ１５，１８と、このフランジ１５，１８が有する挿入部１６，１７を塞ぐ蓋部材２７が敷設された状態であるため、長期間留置する際に腐食による影響を受ける部材を無くすことができる。
【００４１】
また、基部フランジ１５と連結フランジ１８とを連結する螺合部材１９が螺合される孔部３８，３９を利用して基部フランジ１５と連結フランジ１８との間の離間距離を規定する栓部材４０，４１の配置部位を確保し、両栓部材４０，４１の相対位置を挟持治具４２により調整することで、開閉弁２４を挿入可能な間隙部２５を形成できるようになり、かつ基部フランジ１５側の栓部材４０と連結フランジ１８側の栓部材４１とが一体的に連結されるため、流体圧により連結フランジ１８が不用意に外れる虞がなく、安全に不断流の状態での施工を行うことができる。
【００４２】
また、管路部８の周面には、分岐部９が設けられることで、分岐部９に迂回用の分岐管（図示略）を取り付けて流体の迂回経路を確保し、仕切弁１３により管路部８を閉塞して不断流工事を行うことができる。
【００４３】
また、管路部８の両端部に設けられて上流側及び下流側の各流体管４，５に接続される端部のいずれもが挿口部２，３して構成されることで、分岐部９に迂回用の分岐管（図示略）を取り付けて流体の迂回経路を確保するための管ユニット１として敷設する際に、管ユニット１の向きを変更するだけで、上流側及び下流側のいずれの管ユニット１としても対応させることができる。
【実施例２】
【００４４】
次に、実施例２に係る管ユニット及び管ユニットに対する仕切弁の設置方法につき、図７を参照して説明する。尚、前記実施例と同一構成で重複する説明を省略する。前記実施例１では、密封部材３１を取り付けた後に、基部フランジ１５と連結フランジ１８とを連結している螺合部材１９を１本づつ取り外し、この螺合部材１９が螺合されていた鍔部２２，２３の孔部３８，３９に栓部材４０，４１を螺合するようにしているが、全ての螺合部材１９を栓部材４０，４１と交換する必要はなく、開閉弁２４の挿入に影響を与えない部位の孔部３８，３９には、実施例２における螺合部材４５を用いるようにしてもよい。
【００４５】
図７に示すように、実施例２における螺合部材４５は、矩形ヘッド４６を有するボルト４７及びこのボルト４７に螺合されるナット４８により構成される。尚、矩形ヘッド４６及びナット４８は、基部フランジ１５と連結フランジ１８との間の離間距離を規定する規定部材を構成している。また、矩形ヘッド４６及びナット４８には、孔部３８，３９の密閉性を維持するためのシール部材４９，５０が設けられている。尚、螺合部材４５自体が本発明における調整手段を構成している。
【００４６】
尚、この実施例２における螺合部材４５は、前述した実施例１の挟持治具４２とともに用いるようになっており、挟持治具４２を操作して、連結フランジ１８を上方に移動させるとともに、螺合部材４５を緩めて矩形ヘッド４６及びナット４８の間の距離を広げるようにする。すると、基部フランジ１５及び連結フランジ１８の連結部２１の密封性を保ちながら、開閉弁２４を挿入可能な間隙部２５を形成することができる。
【実施例３】
【００４７】
次に、実施例３に係る管ユニット及び管ユニットに対する仕切弁の設置方法につき、図８を参照して説明する。尚、前記実施例と同一構成で重複する説明を省略する。前記実施例１では、基部フランジ１５と連結フランジ１８との間の離間距離を規定する規定部材としての栓部材４０，４１と、両栓部材４０，４１の相対位置を調整できる調整手段としての挟持治具４２とが別部材として構成されているが、これら栓部材４０，４１及び挟持治具４２を一体的に形成してもよい。
【００４８】
図８に示すように、実施例３における挟持治具５１は、基部フランジ１５及び連結フランジ１８の鍔部２２，２３の孔部３８，３９を塞ぐ塞ぎ部５２，５３を有する上下２つの規定部材５４，５５を有している。また、塞ぎ部５２，５３には、孔部３８，３９の密閉性を維持するためのシール部材５６，５７が設けられている。尚、上下の規定部材５４，５５は、本発明における調整手段としてのネジ機構５８により連結されている。このネジ機構５８は、雄ネジが形成された棒状の部材となっており、下方側の規定部材５４に回転可能に取り付けられているとともに、上方側の規定部材５５に螺合されている。
【００４９】
また、このネジ機構５８を回転操作することで、上方側の規定部材５５が上下に移動調整されるようになっている。更に、下方側の規定部材５４に固定されて垂直に延びる案内棒５９が設けられ、上方側の規定部材５５は、この案内棒５９に係合されており、上方側の規定部材５５が上下に移動する際に、案内棒５９により案内されるようになっている。このように、実施例３における挟持治具５１を基部フランジ１５及び連結フランジ１８の鍔部２２，２３の孔部３８，３９に取り付けるようにしてもよい。
【００５０】
以上、本発明の実施例を図面により説明してきたが、具体的な構成はこれら実施例に限られるものではなく、本発明の要旨を逸脱しない範囲における変更や追加があっても本発明に含まれる。
【００５１】
例えば、前記実施例１では、管ユニット１の上流側及び下流側の端部のいずれもが挿口部２，３となっているが、管ユニット１の上流側及び下流側の端部のいずれもが受口部若しくは切断により形成された切断端部（図示略）となっている構成であってもよい。尚、管ユニット１の上流側及び下流側の端部は、一方が挿口部で他方が受口部となっている構成であってもよいし、一方が切断端部で他方が挿口部若しくは受口部となっているような挿口部、受口部、切断端部を組み合わせた構成となってもよい。
【００５２】
また、前記実施例１では、管路部８側の仕切弁取付装置１２の基部フランジ１５が管路部８の上面に設けられるとともに、分岐部９側の仕切弁取付装置１２’の基部フランジ１５が分岐部９の上面に設けられる構成となっているが、基部フランジ１５が設けられる位置は、管路部８及び分岐部９の上面に限らず、管路部８及び分岐部９の側面や下面であってもよいし、管路部８及び分岐部９は、本実施例の構成に限られず、共に同一の面に設けられてもよいし、例えば、いずれか一方が上面に設けられ、他方が側面に設けられる構成であってもよい。
【００５３】
また、前記実施例１では、開閉弁２４が、垂直方向に延設された挿入部１６，１７に対し、水平方向から直角に挿入されるようになっているが、開閉弁２４の挿入方向は水平方向に限らず、挿入部１６，１７に対して若干斜め方向から挿入されるようにしてもよい。更に、挿入部１６，１７に対してその周囲のいずれの方向から開閉弁２４が挿入されてもよい。
【符号の説明】
【００５４】
１                管ユニット
２，３            挿口部（接続部）
４，５            流体管
６，７            受口部
８                管路部
９                分岐部
１２，１２’      仕切弁取付装置（仕切弁手段）
１３              仕切弁
１４              仕切弁箱部
１５              基部フランジ
１６，１７        挿入部
１８              連結フランジ
１９              螺合部材
２０              仕切弁取付部
２１              連結部
２４              開閉弁
２５              間隙部
２７              蓋部材
３０              開閉弁箱部
３１              密封部材
３８，３９        孔部
４０，４１        栓部材（規定部材）
４２              挟持治具（調整手段）
４５              螺合部材（調整手段）
４６              矩形ヘッド（規定部材）
４８              ナット（規定部材）
５１              挟持治具
５４，５５        規定部材
【図１】
0005993214.tif 000002
【図２】
0005993214.tif 000003
【図３】
0005993214.tif 000004
【図４】
0005993214.tif 000005
【図５】
0005993214.tif 000006
【図６】
0005993214.tif 000007
【図７】
0005993214.tif 000008
【図８】
0005993214.tif 000009